(57)【要約】      （修正有）【課題】専門撮影者以外の人でも専門的な撮影効果を実現でき、さらに、撮影場所に制約されず運びやすい携帯型撮影装置を提供する。【解決手段】背景ロール２０１と背景ロールモーター２０２を含む背景ユニットと、ライト５０１を含むライトユニットと、総合制御ユニットと、撮影及び録画ユニットと、電力供給ユニット、及び４本の縦柱６０１〜６０４と４本の横レバー６０５〜６０８を含むフレームユニットとを備える携帯型撮影装置であり、電力供給ユニットはライトユニット、撮影及び録画ユニット、総合制御ユニット、及び背景ユニットに電力を供給し、背景ユニットとライトユニットがフレームユニットに設置されている。【選択図】図１
0003199555.tif 000002
【実用新案登録請求の範囲】
【請求項１】
背景ユニットと、ライトユニットと、総合制御ユニットと、撮影及録画ユニットと、電力供給ユニット、及びフレームユニットとを備える携帯型撮影装置において、
前記背景ユニットは、背景、背景ロール、及び背景ロールモーターを備え、又は背景カーテンと、プロジェクターを備え、
前記ライトユニットは、ライト、ライトコントロールモジュール、及びライトガイドレールを備え、
前記総合制御ユニットは、スマートフォン、タブレット端末、ノートパソコン、又はテーブルパソコンを備え、
前記撮影及録画ユニットは、カメラ部、ビデオ部、三脚ホルダ、及び雲台、又は、撮影機能と録画機能を有するスマートフォン、パソコンを備え、
前記電力供給ユニットは、リチウム電池、蓄電池、太陽電池、及び交流電力を備え、
前記フレームユニットは、４本の縦柱と４本の横レバーを備え、縦柱と横レバーが互いに着脱可能に連結されて直方体状又は立方体状になるように構成され、
前記電力供給ユニットはライトユニット、撮影及録画ユニット、総合制御ユニット、及び背景ユニットのいずれに電力を供給し、前記背景ユニットと前記ライトユニットが前記フレームユニットに設置されていることを特徴する携帯型撮影装置。
【請求項２】
前記背景ロールは、背景ロールモーターによって駆動回転され、又は、手動によって駆動回転されることを特徴する請求項１に記載の携帯型撮影装置。
【請求項３】
前記ライトガイドレールは、４本の横レバーのそれぞれに取り付けられていることを特徴する請求項１に記載の携帯型撮影装置。
【請求項４】
前記ライトコントロールモジュールは有線方式又は無線方式で総合制御ユニットに接続されていることを特徴する請求項１に記載の携帯型撮影装置。
【請求項５】
前記無線方式はブルートゥース、赤外線、又はWIFIであることを特徴する請求項４に記載の携帯型撮影装置。
【請求項６】
各４本の前記縦柱と前記横レバーは、着脱可能な短レバーからなり、各短レバーの長さが、１０ｃｍ〜１０ｍであることを特徴する請求項１に記載の携帯型撮影装置。
【請求項７】
前記４本の縦柱の底部にはハイト調整装置が取り付けられていることを特徴する請求項１に記載の携帯型撮影装置。
【請求項８】
前記４本の縦柱の底部には移動装置が取り付けられていることを特徴する請求項１に記載の携帯型撮影装置。
【請求項９】
前記フレームユニットの調整可能な範囲は、幅方向で１〜５０ｍで、長手方向で１〜５０ｍで、高さ方向で１〜３０ｍであることを特徴する請求項１に記載の携帯型撮影装置。
【請求項１０】
前記総合制御ユニットは有線方式又は無線方式で撮影及録画ユニットに接続されていることを特徴する請求項１に記載の携帯型撮影装置。
【考案の詳細な説明】
【技術分野】
【０００１】
本考案は、専門撮影装置に関し、具体的には、携帯型専門スマート撮影装置に関する。
【背景技術】
【０００２】
従来から、市販されている撮影製品は単なる撮影器材である。スマート撮影装置及びシステムが実際の生活に適用されていない。
【０００３】
従来の撮影装置は、撮影空間が広い場合に、確実なセルフ撮影機能と相互撮影機能を満たすことができない。デジタルプリクラが、狭い範囲で半身写真しか撮影できなく、専門的な人物撮影や広告用の製品撮影に達成できない。
【考案の概要】
【考案が解決しようとする課題】
【０００４】
専門撮影分野においては、撮影作業者としての専門撮影技術のレベルが比較に高いので、撮影作業者の育成周期もが長く続いている。それに、撮影装置自身のみに依頼することは、専門的な撮影の需要を満たすことができない。今のところ、撮影団体が専門撮影人材に非常に依存しており、撮影人材の転動率の上昇が既に撮影業者の生存と発展に響いている。
【０００５】
また、地域経済発展能力がバランスを取れていないから、ハイレベル撮影人材の二三流都市への転勤を妨害している。大部分のハイレベル撮影人材が大都会に集中し、地方都市での撮影能力が手薄になるので、撮影業全体の発展に不均衡を招く。
【０００６】
Eコマース業が迅速に発展していて、２０１１年のことを例にして、中国範囲でのEコマース業に関する売り上げが５．８８万億人民元に達することがわかる。写真の品質と撮影技術はある程度で製品の販売量を決定づけている。現在、Eコマース業においては、写真の品質が低いという問題がよく見られている。また、製品の本物を専門スタジオに運んで撮影することにすれば、運送困難とコスト増加という問題もある。
【０００７】
本考案は、このような実情に鑑みてなされたものであって、専門撮影者以外の人としても本撮影装置を使用したうえに、専門的な撮影効果をもらえることを実現でき、さらに、固定の撮影場所に制約されなく、運びやすい携帯型撮影装置を提供することを目的とする。
【課題を解決するための手段】
【０００８】
本考案によれば、下記の態様が提供される。
背景ユニットと、ライトユニットと、総合制御ユニットと、撮影及録画ユニットと、電力供給ユニット、及びフレームユニットとを備える携帯型撮影装置（スタジオ）において、前記フレームユニットは４本の縦柱と４本の横レバーを有し、４本の縦柱がそれぞれ、前右縦柱、後右縦柱、前左縦柱、後左縦柱であって、４本の横レバーがそれぞれ、右横レバー、左横レバー、前横レバー、後横レバーであり、縦柱と横レバーが互いに着脱可能に連結されて直方体状になるように構成され、フレームユニットの四周と頂部がカーテンにより覆われてもよい。
【０００９】
前記ライトユニットは、ライト、ライトコントロールモジュール、及びライトガイドレールを備え、ライトが前記ライトガイドレールに取り付けられており、ライトガイドレールが４本の横レバーのそれぞれに取り付けられており、ライトコントロールモジュールが有線方式又は無線方式で総合制御ユニットとライトとに接続されている。前記ライトが上下に移動可能で、所定の角度での回転可能に構成されており、ライトの輝度が自由調整可能にされている。前記ライトは、白熱灯、スポットライト、蛍光灯、及び全部使用可能な有効光源である。電力供給ユニットはライトユニットに必要な電力を供給する。
【００１０】
前記背景ユニットは、背景、背景ロール、及び背景ロールモーターを備え、又は背景カーテンと、プロジェクターを備える。電力供給ユニットは背景ユニットに必要な電力を供給する。
【００１１】
背景ロールがフレームユニットの後横レバーに取り付けられ、撮影時に必要な背景が背景ロールに固定されて、背景の展開、収納及び取替えに便利になるように構成されている。さらに、撮影時に必要な背景数によって、いくつかの背景ロールが同時に取り付けられてもよい。背景ロールは、背景ロールモーターによって駆動回転され、又は、手動によって駆動回転される。
【００１２】
背景ロールモーターが左右分離式であって、右横レバーと左横レバーのそれぞれの上端に対して平行に取り付けられているとともに、前横レバーと後横レバーに対して離隔して平行配置されている。前記背景ロールモーターは背景ロールを制御する。
【００１３】
背景は、一枚又は一セットの図画が背景ロールに固定され、ロールの回転によって図画を展開させてなるものであり、又は、プロジェクターを利用し、画像を背景カーテンに投影してなるものである。
【００１４】
前記撮影及録画ユニットは、カメラ部、ビデオ部、三脚ホルダ、及び雲台、又は、撮影機能と録画機能を有するスマートフォン、パソコンなどを備え、それに限らず、当該機能付きの他の設備も含める。前記撮影及録画ユニットの主な機能は、最終映像の撮影と録画である。人手で撮影及録画ユニットを保持してもよく、又は、撮影及録画ユニットを三脚ホルダに固定してもよい。電力供給ユニットは撮影及録画ユニットに必要な電力を供給する。
【００１５】
前記総合制御ユニットは、スマートフォン、タブレット端末、及び各種類のデータインタフェースケーブルと無線インタフェースを備える。前記総合制御ユニットにおける専用アプリケーションを利用しワンタッチ式の操作することによって、背景ユニット、ライトユニット、及び撮影及び録画ユニットを制御する。電力供給ユニットは総合制御ユニットに必要な電力を供給する。データインタフェースケーブルがそれぞれに背景ユニット、ライトユニット、及び撮影及び録画ユニットに接続されている。前記総合制御ユニットは、フレームユニットの内部に置いてもよく、外部に置いてもよい。
【００１６】
前記電力供給ユニットは、リチウム電池、蓄電池、太陽電池、及び交流電力を備え、それに限らず、他の電力供給設備も含める。電力供給ユニットは撮影装置の全体に必要な電力を供給する。
【００１７】
さらに、本考案は、専門レベルに達する撮影が簡単に実現され、撮影者に対する専門標準を激しく下げるスマート専門撮影装置を提供することも目的とする。
【００１８】
技術形態が以下のように記載されている。
前記携帯型撮影装置において、前記総合制御ユニットは、さらに可視化インテリジェントコントロール装置を備え、当該可視化インテリジェントコントロール装置が、有線方式又は無線方式でカメラ部に接続され、カメラ部のファインダーイメージ、プレビュー、画像、記録を表示し、且つ、有線方式又は無線方式でカメラ部の撮影パラメータをインテリジェント的にコントロールするとともに、撮影動作をコントロールする。無線方式はブルートゥース、赤外線、又はWIFIなどである。
【００１９】
前記携帯型撮影装置において、前記ライトユニットが、ライトコントロールモジュールを備え、当該ライトコントロールモジュールがライトに直接に接続されており、前記可視化インテリジェントコントロール装置が有線方式又は無線方式でライトコントロールモジュールに接続されており、可視化インテリジェントコントロール装置がライトコントロールモジュールを介し、ライトの輝度調整、ライトのライトガイドレール上での移動制御、ライトの照射角度制御、ライトの高さの調整を実行する。ライトガイドレールが４本の横レバーのそれぞれに取り付けられている。
【００２０】
前記携帯型撮影装置において、前記背景ユニットが、背景制御モジュールを備え、当該背景制御モジュールが背景ロールモーターに直接に接続されており、前記可視化インテリジェントコントロール装置が有線方式又は無線方式で背景制御モジュールに接続されており、可視化インテリジェントコントロール装置が背景制御モジュールを介し、相応的に背景を制御する。
【００２１】
前記携帯型撮影装置において、前記撮影及び録画ユニットが、固定用装置であって、カメラ部を固定する撮影用雲台を備える。
【００２２】
前記携帯型撮影装置において、前記フレームユニットが備わる４本の縦柱と４本の横レバーが伸縮可能な特性を有する。これによって、現場の状況によって本撮影装置の大きさを調整することが便利になる。調整可能な範囲は、幅方向で１〜５０ｍで、長手方向で１〜５０ｍで、高さ方向で１〜３０ｍである。
【００２３】
前記携帯型撮影装置において、前記フレームユニットが備わる４本の縦柱と４本の横レバーであって、前記縦柱と前記横レバーは、着脱可能な短レバーからなり、各短レバーの長さが、１０ｃｍ〜１０ｍであることを特徴する携帯型撮影装置。前記縦柱であって、４本の縦柱の底部にはハイト調整装置が取り付けられており、前記４本の縦柱の底部には移動装置が取り付けられていることを特徴する携帯型撮影装置。
【００２４】
前記携帯型撮影装置において、前記可視化インテリジェントコントロール装置にはコントロールソフトウェアが装着されており、当該コントロールソフトウェアには各種類の撮影制御パタンが含まれており、当該コントロールソフトウェアにカメラ部のパラメータ情報、背景情報、及びライト情報が記憶されている。異なる撮影制御パタンを選択することで、カメラ部のパラメータ設置、背景の選択、及びライトのパラメータ設置を実行する。当該コントロールソフトウェアは画像のパラメータ情報を読み込む機能を有しており、且つ、読み込まれた画像のパラメータに基づいて、相応的にカメラ部のパラメータとライトのパラメータを設置、及び背景を選択することができる。
【００２５】
本考案に係る携帯型撮影装置を用いて撮影を行う方法において、
撮影対象を前記携帯型撮影装置（スタジオ）内の規定の位置に置くステップと、
撮影及び録画する背景を選択するステップと、
可視化インテリジェントコントロール装置において適当な撮影制御パタンを選択し、可視化インテリジェントコントロール装置自身により自動的にカメラ部のパラメータ、ライト、及び背景の調整と設置を行うステップと、
可視化インテリジェントコントロール装置を通じて、撮影及び録画動作を制御するステップと、を備える。
【００２６】
本考案の優れた効果は以下の方面にある。本考案に係る携帯型撮影装置によれば、撮影空間、場所及び高さによって自由取り付けられ、さらに、必要に応じて縦柱及び横レバーの長さを調整することができ、着脱に便利になる効果を奏することから、本考案の携帯性が顕著に現れる。撮影者が撮影場所によりフレームユニットの大きさを有効範囲内で自由に調整することができ、本撮影装置に対して空間に関わる絶対的な要求の必要がない。また、本撮影装置は、カーテンによって覆われた後、外部環境からの干渉に影響されず、移動可能又は固定可能及び室外用可能な専門スタジオに単独に構成することができる。本撮影装置は、操作しやすく、専門撮影者以外の人としても高品質な撮影作品を撮ることが実現できることから、製品販売市場が拡大され、Eコマース業の発展が優良に促進される。
本考案に係る携帯型撮影装置において、さらに、撮影に便利、簡単な操作が実現でき、撮影者の専門レベルに関わらず高品質な撮影作品を撮るように達成することができる。
【考案を実施するための形態】
【００２７】
以下、本考案について図面を参照しながら、実施例を用いてさらに説明する。
【００２８】
実施例１
図１に示すように、携帯型撮影装置は、電力供給ユニット１と、背景ユニット２と、総合制御ユニット３と、撮影及録画ユニット４と、ライトユニット５と、フレームユニット６とを備える。図２に示すように、フレームユニット６は前右縦柱６０１と、後右縦柱６０２と、前左縦柱６０３と、後左縦柱６０４と、右横レバー６０５と、左横レバー６０６と、前横レバー６０７と、後横レバー６０８と、ハイト調整可能なホルダ６０９とを備える。
【００２９】
前右縦柱６０１が右横レバー６０５を介し後右縦柱６０２に連結されている。前左縦柱６０３が左横レバー６０６を介し後左縦柱６０４に連結されている。さらに、前右縦柱６０１が前横レバー６０７を介し前左縦柱６０３に連結されており、後右縦柱６０２が後横レバー６０８を介し後左縦柱６０４に連結されている。図２には以上のように連結されたフレームを示す。フレームの各角の角度が連結された状態で、それぞれに９０度の直角である。連結後、フレームの各角には図２に示す連結用アクセサリ６１０及びネジ、ナットで締結し、又は、必要なフレームサイズに応じて連結後のままで使用してもよい（連結箇所は、ネジ、ナットでの締結方式の以外に、係止フック式、係止スロット式、コンセント式などで有効的な締結を行ってもよい）。当該フレームユニット６は、直方体状又は立方体状を有する。当該フレームユニット６の素材適応性が優れ、素材として、鋼、鉄、アルミニウム、銅、合金、プラスチックなど、及び可塑性と荷重安定性の高い材料が挙げられている。当該フレームユニット６の大きさは、撮影者の好みと撮影場所の大きさにより、長手方向での１〜５０ｍで、幅方向での１〜５０ｍで、高さ方向での１〜３０ｍである調整範囲で自由調整可能にする。
【００３０】
図２に示すように、背景ユニット２は、背景ロール２０１、及び背景ロールモーター２０２を備え、又は背景カーテンと、プロジェクターからなる。背景ユニット２は、背景の取替えを制御する。背景ロールモーター２０２が左右分離式であって、背景ロール２０１に対して平行するように連接されている。背景ロールモーターが右横レバー６０５と左横レバー６０６のそれぞれの上端に対して平行に取り付けられているとともに、前横レバー６０７と後横レバー６０８に対して平行配置されており、後横レバー６０８から０．５ｍ程度離隔している（撮影の必要に応じて、離隔しなくてもよい）。背景ロール２０１及び背景ロールモーター２０２はハンドルによって電動操作され、又は、手動によって操作される。背景ロールモーター２０２によって背景ロール２０１を駆動回転することによって、背景の展開及収納の効果を奏することができる。撮影時に必要な背景が背景ロール２０１に固定されており、背景の展開、収納、及び取替えに便利になるように構成されている。背景ロール２０１は、撮影時に必要な背景数により、いくつかを装着することができる。前記背景は、撮影対象の下色や背景として、単一色、多色、又は図画に塗られたキャンバス又はスクリーンである。背景は、撮影時に必要に応じて、単一色、多色、及び全ての有効図画に選択することができる。撮影時に必要な背景は、必要に応じて、いくつか背景の間で自由に取り付け、取り替えられる。
【００３１】
図２に示す背景ロール２０１及び背景ロールモーター２０２の代わりに、有効なプロジェクターと背景カーテンを使用してもよい。この場合、プロジェクターが背景図画を背景カーテンに投影し、撮影時に必要に応じて異なる投影内容を変更する。
【００３２】
図２に示す背景ロールモーター２０２は、背景の変更を目的として、総合制御ユニット３からの制御命令を受信するとともに、電流を制御することで、相応的に背景ロール２０１を制御するものである。前記背景ロールモーター２０２が有線通信方式又は無線通信方式で総合制御ユニット３からの制御命令を受信する。前記プロジェクターは総合制御ユニット３からの制御命令により背景を変更し、プロジェクターが有線通信方式又は無線通信方式で総合制御ユニットからの制御命令を受信する。
【００３３】
図２に示すライトユニット５はライト５０１、ライトガイドレール５０２、及びライトコントロールモジュールを備える。ライト５０１がライトガイドレール５０２に取り付けられており、ライトガイドレール５０２が前、後、左、右横レバー４本（すなわち、右横レバー６０５、左横レバー６０６、前横レバー６０７、後横レバー６０８）のそれぞれに取り付けられている。一般的に、１本の横レバーごとに３つのライトが設けられている。さらに、必要に応じて、４本の縦柱（すなわち、前右縦柱６０１、後右縦柱６０２、前左縦柱６０３、後左縦柱６０４）にライトが取り付けられてもよい。ここで、撮影時に必要によって、ライトの使用数量を自由増減できることに留意すべきである。ライトの取り付け方式として、固定方式、手動スライド式、電動レール式などが挙げられている。また、別途で三脚ホルダを配置する方法、又は、他の各種類の有効な方式でフレームの外部でライトの調整と適用を行ってもよい。撮影時に必要な光源は、専門撮影用スピードライト、白熱灯、スポットライト、蛍光灯など、全部の撮影用可能な有効光源である。また、ライトは上下に移動可能で、所定の角度での回転可能に構成されており、当該機能が、撮影中でのライトに対する要求を満たすことを便利に実現する。
【００３４】
ライトユニット５は、総合制御ユニット３からの制御命令を受信し、且つ、最適なライト効果を取得するために、制御信号により、ライト５０１の輝度の調整、ライト５０１の位置、方向の制御を実行するライトコントロールモジュールを備える。
【００３５】
ここで、背景ロール２０１とライト５０１は手動によっても制御できることに留意すべきである。
【００３６】
図２に示すフレームユニット６は、着脱、携帯、運びに便利になるように、撮影空間の大きさによって、全部の縦柱及び横レバーをいずれも必要に応じて異なる長さに揃えられるように構成されている。すなわち、全ての縦柱と横レバーは、いずれも着脱可能な短レバーからなり（各短レバーの長さが、１０ｃｍ〜１０ｍである）、各レバーの間は、図４に示すアクセサリ６１０で締結されてもよく、又は、多く見られている係止フック式、係止スロット式、コンセント式などを採用しで有効的な締結を行ってもよい。この利点は、携帯、運びに便利にある。
【００３７】
図２に示すフレームユニット６は、４本の縦柱６０１〜６０４の足部が、図６と図６−aに示すハイト調整可能なホルダ６０９に連接され、４つのハイト調整可能なホルダ６０９がいずれもハイト調整可能で、調整可能な範囲は１ｃｍ〜５０ｃｍである。フレームユニット６が位置している地面に凸凹がある場合に、当該ホルダによれば、フレームユニットのバランスを保つことができ、また、背景高さに特定な要求がある場合にも、当該ホルダを利用して高さを調整することもできる。
【００３８】
図２に示すフレームユニット６は、４本の縦柱６０１〜６０４の足部が、図５と図５−aに示すキャスター６１１に連接されてもよい。図５−aは、キャスターの４つの足部が任意の方向に移動可能の状態を示す。必要に応じて、図５に示すキャスターと図６に示すハイト調整可能なホルダ６０９の間に自由に切換使用できる。
【００３９】
図２に示すフレームユニット６は、四周及び頂部が図７に示すカーテン６１２によって覆われてもよい。図７に示すカーテン連接穴６１２−１が、カーテンを相互に連接するための穴である。カーテン６１２の連接方式として、針金、係止フック、縄などの全て締結可能用の材料での連接が挙げられている。図７に示すカーテン６１２の材質は、材料に特に限らず、遮蔽機能があればいい。
【００４０】
図２に示すフレームユニットは、図７に示すカーテン６１２によって全方面的に覆われてから、「ボックス・スペース」という撮影空間、すなわちスタジオに形成される。当該スタジオの４つの前、後、左、右足部が、固定式スタジオ、又は移動式スタジオに構成するように、図５又は図６に示すアクセサリの間に必要に応じて切り替えて使用される。
【００４１】
総合制御ユニット３は、ファインダーイメージと撮影映像を表示可能にする可視化インテリジェントコントロール装置を備える。総合制御ユニット３では、複数の撮影制御パタンが作成、記録されている。ユーザが異なる撮影制御パタンを選択することによって、背景の変更、ライトの位置及び輝度、カメラ部の各撮影パラメータ（シャッター、絞り、ＩＳＯ、ホワイトバランスなど）を自動に設定するとともに、撮影することができる。前記総合制御ユニット３は、テーブルパソコン、ノートパソコン、タブレット端末、又はスマートフォンである。もちろん、前記機能を実現するために必要な各種類のデータインタフェースケーブルと無線インタフェースは、総合制御ユニットの必要な要素であり、従来技術の手段を採用して実現できる。
【００４２】
総合制御ユニット３には、カメラコントロールソフトウェア又はハードモジュールが装着されており、製品メーカから提供されたＳＤＫ（ソフトウェアバック）により、カメラ部の撮影操作、及び撮影時に採用されるパラメータ（例えば、絞り、シャッター、ホワイトバランス、ＩＳＯなど）を制御する。また、総合制御ユニット３には制御プロトコルも装着されているように構成されてもよい。制御プロトコルを通じて、背景ロール２０１の制御と背景ロールモーター２０２の制御を実行する。また、制御プロトコルを通じて、ライトコントロールモジュールに通信することを制御することによって、撮影時の背景とライトを制御する。
【００４３】
本考案に係る携帯型撮影装置を用いて撮影を行う方法において、
撮影対象を本携帯型撮影装置（スタジオ）内の規定の位置に置くステップと、
撮影及び録画する背景を選択するステップと、
可視化インテリジェントコントロール装置において適当な撮影制御パタンを選択し、可視化インテリジェントコントロール装置自身により自動的にカメラ部のパラメータ、ライト、及び背景の調整と設置を行うステップと、
可視化インテリジェントコントロール装置を通じて、撮影及び録画動作をコントロールするステップと、を備える。
【００４４】
本考案の携帯型撮影装置の総合制御ユニット３における撮影制御パタンは予め決められたもので、撮影者自身により設定してもよく、データのインポートの方式で設定してもよい。前記撮影制御パタンは複数の種類があり、総合制御ユニット３における専門アプリケーションにより実行される。実際に使用する場合には、撮影者が可視化インテリジェントコントロール装置においてワンタッチ式の選択操作を行うだけで、専門レベルに達する撮影作品を撮ることができる。また、本考案に係る簡単、携帯式スタジオにあわせることによって、専門撮影の普及化を確実に実現でき、専門撮影分野の拡張にも大いに役に立つことができる。
以上、本考案の実施形態について説明したが、上記実施形態は本考案の好ましい実施例を示したに過ぎず、本考案の技術的範囲を上記実施形態の具体的構成に限定する趣旨ではない。本考案は、添付図面を参照しながら好ましい実施形態に関連して充分に記載されているが、上述した実施形態のみに限定されるものではなく、この技術に熟練した人々にとっては特許請求の範囲に示した範囲内で、上述した実施形態、実施例等にそれぞれ開示された技術的手段を適宜組み合わせて得られる種々の変形や修正は明白である。そのような変形や修正は、添付した請求の範囲による本考案の範囲から外れない限りにおいて、その中に含まれると理解されるべきである。
【産業上の利用可能性】
【００４５】
本考案に係る撮影装置は、自動的に撮影情報を読み込み、自動的に撮影状態を設定するとともに、ライト効果を調整することができ、外部環境からの干渉に影響されず、背景を変更でき、着脱便利、携帯しやすい効果を奏する。
本出願は、２０１２年８月９日に中国で出願した、特願２０１２１０２８１４４４８号携帯型専門撮影装置及びシステムを基礎とする優先権を主張し、この出願の全ての内容は参照により本明細書に組み込まれる。
【図面の簡単な説明】
【００４６】
【図１】図１は携帯型撮影装置を示すブロック図である。
【図２】図２は本考案に係る携帯型撮影装置のフレームユニットを示す模式図である。
【図３】図３はライトガイドレールを示す模式図である。
【図４】図４は連結用アクセサリの断面図である。
【図５】図５はキャスターを示す模式図である。
【図５ａ】図５−aは図５におけるキャスターのA矢視方向図である。
【図６】図６はハイト調整可能なホルダの平面図である。
【図６ａ】図６−aはハイト調整可能なホルダの断面図である。
【図７】図７はカーテンを示す模式図である。
【符号の説明】
【００４７】
１…電力供給ユニット
２…背景ユニット
２０１…背景ロール
２０２…背景ロールモーター
３…総合制御ユニット
４…撮影及録画ユニット
５…ライトユニット
５０１…ライト
６…フレームユニット
６０１…前右縦柱
６０２…後右縦柱
６０３…前左縦柱
６０４…後左縦柱
６０５…右横レバー
６０６…左横レバー
６０７…前横レバー
６０８…後横レバー
６０９…ハイト調整可能なホルダ
６１２−１…カーテン連接穴
【図１】
0003199555.tif 000003
【図２】
0003199555.tif 000004
【図３】
0003199555.tif 000005
【図４】
0003199555.tif 000006
【図５】
0003199555.tif 000007
【図５ａ】
0003199555.tif 000008
【図６】
0003199555.tif 000009
【図６ａ】
0003199555.tif 000010
【図７】
0003199555.tif 000011